Podtech/llm-jp-corpus-v4-ja_patent huggingface dataset:
【手続補正書】
【提出日】平成20年1月21日(2008.1.21)
【手続補正１】
【補正対象書類名】明細書
【補正対象項目名】特許請求の範囲
【補正方法】変更
【補正の内容】
【特許請求の範囲】
【請求項１】  タイヤＰのトレッド支持手段として使用されかつタイヤＰおよびその装着リムＪと協働して、タイヤＰに圧力損失が生じたときにも走行できる組立体を形成するトロイダル状膜Ｍであって、拡大してタイヤＰの内部キャビティを充満でき、かつフープ状補強体（１６）により補強されかつカーカス補強体（１１）により補強された２つの側壁（１３）を介して２つのビードＢに連結されたキャップ（１７）を有し、各ビードＢは非伸長性をもつ強靭な少なくとも１つの補強リング（１２）を備え、該補強リングの回りにはカーカス補強体（１１）がターンアップされて補強リングに係止される構成のトロイダル状膜Ｍにおいて、
膨張ガスを透過しない内側ゴム層（１０）の半径方向上方には、一プライ（１４１）から隣接プライ（１４２）にかけて交差しかつ周方向に対して４０〜７５°の間の角度を形成しているテクスタイル要素の少なくとも２つのプライ（１４１、１４２）からなるクラウン補強体（１４）が設けられ、該クラウン補強体はその幅に等しい子午線方向距離に亘って前記内側層（１０）から分離されておりかつクラウン補強体の半径方向上方には２つのカーカスハーフプライ（１１１、１１２）の縁部が重ねられており、カーカスハーフプライは前記縁部から分離されていると同時に側壁（１３）内に延びており、各カーカスハーフプライは周方向に対して４０〜７５°の間の角度に配向されたテクスタイル補強要素で形成されており、赤道平面ＸＸ′の両側の前記縁部はテクスタイル要素からなる少なくとも１つの連結プライ（１５）により連結され、前記縁部と連結プライ（１５）との組立体の上には少なくとも１つのプライ（１６）からなるフープ状補強体（１６）が重ねられており、連結プライ（１５）のテクスタイル要素は、通常走行時の圧力差ｐ0−ｐ1より大きい、タイヤの内部キャビティからの圧力損失時の圧力差ｐ0−ｐ1′で破断される強度を有することを特徴とするトロイダル状膜。
【請求項２】  前記フープ状補強体（１６）は、カーカスハーフプライ（１１１、１１２）および該ハーフプライの縁部を連結するプライ（１５）により形成される組立体から部分的に分離されていることを特徴とする請求項１記載のトロイダル状膜。
【手続補正２】
【補正対象書類名】明細書
【補正対象項目名】０００３
【補正方法】変更
【補正の内容】
【０００３】
コールド状態すなわち２０℃で測定した前記膜の内部圧力ｐ0は、関連するタイヤの寸法に基いて、０．５×１０5Ｐａと５．０×１０5Ｐａとの間の大きさだけ、タイヤの内部キャビティの圧力ｐ1より高い。仮に、トロイダル状膜のクラウン半径ＲMがタイヤの偏平半径ＲEの０．８０〜０．９７倍であるのが好ましいとしても、主としてタイヤの加熱に関する理由から、圧力差が大き過ぎると、タイヤ自体の多くの特性、例えばカーカス補強体の耐久性が変化してしまうという危険が生じると同時に、非常に大きなフープ状補強体が必要にもなる。
【手続補正３】
【補正対象書類名】明細書
【補正対象項目名】０００５
【補正方法】変更
【補正の内容】
【０００５】
タイヤが破裂すると、圧力差ｐ0−ｐ1が増大し、フープ状プライ（単一または複数）が破断してトロイダル状支持膜がタイヤキャビティ内部で拡大するため、タイヤキャビティ内の圧力が低下しても、全体としての連続走行を可能にする。
【手続補正４】
【補正対象書類名】明細書
【補正対象項目名】０００８
【補正方法】変更
【補正の内容】
【０００８】
（発明の開示）
このため、本発明によれば、タイヤＰのトレッド支持手段として使用されかつタイヤＰおよびその装着リムＪと協働して、タイヤＰに圧力損失が生じたときにも走行できる組立体を形成するトロイダル状膜Ｍであって、拡大してタイヤＰの内部キャビティを充満でき、かつフープ状補強体により補強されかつカーカス補強体により補強された２つの側壁を介して２つのビードに連結されたキャップを有し、各ビードは非伸長性をもつ強靭な少なくとも１つの補強リングを備え、該補強リングの回りにはターンアップの形成によりカーカス補強体が補強リングに係止されている構成のトロイダル状膜において、膨張ガスを透過しない内側ゴム層の半径方向上方には、一プライから隣接プライにかけて交差しかつ周方向に対して４０〜７５°の間の角度を形成しているテクスタイル要素の少なくとも２つのプライからなるクラウン補強体が設けられ、該クラウン補強体はその幅に等しい子午線方向距離に亘って前記内側層から分離されておりかつクラウン補強体の半径方向上方には２つのカーカスハーフプライの縁部が重ねられており、カーカスハーフプライは前記縁部から分離されていると同時に側壁内に延びており、各カーカスハーフプライは各ビードにおいて補強リングの回りでターンアップされかつ周方向に対して４０〜７５°の間の角度に配向されたテクスタイル補強要素で形成されており、赤道平面の両側の前記縁部はテクスタイル要素からなる少なくとも１つの連結プライにより半径方向外方で連結され、前記縁部と連結プライとの組合せ部の上には、少なくとも１つの周方向テクスタイル要素のプライからなるフープ状補強体が重ねられており、フープ状補強体の補強要素および連結プライの要素は、通常走行時の圧力差ｐ0−ｐ1より大きい、タイヤの内部キャビティの圧力損失時の圧力差ｐ0−ｐ1′で破断される強度を有することを特徴とするトロイダル状膜が提供される。
【手続補正５】
【補正対象書類名】明細書
【補正対象項目名】００１６
【補正方法】変更
【補正の内容】
【００１６】
図２において、組立体Ｅは、ここに説明する例では、サイズ４９５／４５−Ｒ−２２．５のタイヤＰと、装着リムＪと、本発明によるトロイダル状膜Ｍとからなる。タイヤＰは広く知られているタイヤであり、その側壁はタイヤトレッド２１へと半径方向外方に連結されておりかつ２つのビード２２まで半径方向内方に延びている。各ビード２２は少なくとも１つのビードワイヤ２３により補強されており、該ビードワイヤ２３の回りには、ラジアルカーカス補強体２４がターンアップ２５を形成することにより係止されている。カーカス補強体２４は、そのクラウンにおいて、少なくとも２つのプライからなるクラウン補強体２６により半径方向に覆われている。クラウン補強体２６は、各プライ内で互いに平行でかつ一プライから隣接プライにかけて交差、すなわち周方向に対して５〜４５°の範囲内の角度を形成している金属ワイヤまたはケーブルで形成されている。タイヤＰはチューブレスタイヤとして知られたものであり、タイヤ内部には膨張ガスを透過しないゴム配合物の層が設けられている。
【手続補正６】
【補正対象書類名】明細書
【補正対象項目名】図面の簡単な説明
【補正方法】変更
【補正の内容】
【図面の簡単な説明】
【図１】
本発明によるトロイダル状支持膜を示す概略図である。
【図２】
図１の支持膜がその作動リムに装着されたタイヤ内の所定位置に配置されかつ膨張されている状態を示す概略図である。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
（ｉ）Ｏ２、ＣＯ２およびエチレンが梱包雰囲気に入るまたは該雰囲気から出るための経路を提供し、
（ａ）微孔性ポリマー薄膜、および
（ｂ）該微孔性薄膜のポリマーコーティング
からなるガス透過性膜を備えた、少なくとも１つの気圧制御部材を含むシールされた容器と、
（ｉｉ）該シールされた容器内の、バナナおよび該バナナのまわりの梱包雰囲気、
とを含むパッケージであって、
該シールされた容器は、１３℃における容器中のバナナ１ｋｇ当たりの酸素透過性（ＯＰ１３／ｋｇ）が、少なくとも７００ｍｌ／気圧・２４時間であり、１３℃におけるＲ率が、少なくとも２であり、
１３℃における該容器中のバナナ１ｋｇ当たりのエチレン透過性（ＥｔＯＰ１３／ｋｇ）が、容器のＯＰ１３／ｋｇの少なくとも２倍である、パッケージ。
【請求項２】
前記シールされた容器が少なくとも１，５００ｍｌ／気圧・２４時間のＯＰ１３／ｋｇを有する、請求項１記載のパッケージ。
【請求項３】
バナナがクリマテリック期を過ぎており、梱包雰囲気中のＯ２量が１．５％から６％、ＣＯ２量が１５％未満、且つＯ２とＣＯ２の合計量が１６％未満である、請求項１または２に記載のパッケージ。
【請求項４】
ポリマーコーティングは、少なくとも５Ｊ／ｇの融解熱ΔＨを有するブロックコポリマーであって、（ｉ）ポリシロキサンポリマーブロック、および（ｉｉ）−５℃から４０℃の融解点ＴＰを有する側鎖結晶性ポリマーブロックを含む、ブロックコポリマーを含む、請求項１ないし３のいずれか１項に記載のパッケージ。
【請求項５】
前記容器が１ないし２．５ｋｇのバナナを収容する請求項１ないし４のいずれか１項に記載されたパッケージ。
【請求項６】
前記シールされた容器は、少なくとも１５ｋｇのバナナを収容する、請求項１ないし４のいずれか１項に記載のパッケージ。
【請求項７】
パッケージ雰囲気が成熟室からのエチレンを含む、請求項１ないし６のいずれか１項に記載のパッケージ。
【手続補正書】
【提出日】平成20年3月25日(2008.3.25)
【手続補正１】
【補正対象書類名】明細書
【補正対象項目名】００２１
【補正方法】変更
【補正の内容】
【００２１】
連続鋳造用金型１上に分散して配置された熱電センサ及び抵抗熱電センサ又は熱電センサ若しくは抵抗熱電センサ１０によって得られた冷却されたフィールドバスモジュール２内の多数の測定データが、連続鋳造用金型１に直接集められ、バス信号として母線３に送られ、そして連続鋳造機の制御部内に記憶されて処理されるように、連続鋳造機（図１）の制御部の１本の冗長端子１１ａを有する処理コンピュータ１１内で複数の熱電センサ又は抵抗熱電センサ１０を通じて連続鋳造用金型で得られた測定データをローカル的に鋳造データ処理する方法が実行される。
この場合、記録される測定データ又は付加的に入力される特別なデータも、制御信号として唯一の母線３を通じて連続鋳造用金型１の領域内にある制御ユニット及びアクチュエータ又は制御ユニット若しくはアクチュエータに対して出力される。例えば薄い横板の形態をした銅板４が、制御ユニットとして考えられる。そして、アクチュエータが、この銅板４に付随される駆動部として考えられる。鋳造に固有の情報は、銅板の厚さ，損耗の程度，熱電センサ及び抵抗熱電センサ又は熱電センサ若しくは抵抗熱電センサ１０の状態、及び保守サイクルに関する。
【手続補正書】
【提出日】平成20年5月23日(2008.5.23)
【手続補正１】
【補正対象書類名】明細書
【補正対象項目名】特許請求の範囲
【補正方法】変更
【補正の内容】
【特許請求の範囲】
【請求項１】  酸素イオン及び電子を伝導することができる複合膜を用いて酸素含有ガスから酸素を分離するに当たり、
前記複合膜に、そのカソード側に高い方の酸素分圧そしてそのアノード側に低い方の酸素分圧を設定して操作温度及び酸素含有ガスを受けさせる、
ことを含み、しかも、
前記複合膜は、稠密層（１０；２２）と、該稠密層（１０）に隣接する少なくとも１つの活性多孔質層（１４；２１）と、少なくとも１つの多孔質支持体層（１６、１８、２０；２４、２５、２６）とを有し、
前記活性多孔質層（１４；２１）は厚さ（ｔ3）及び細孔半径（ｒ3）の分布を有し、細孔半径（ｒ3）の分布は細孔半径（ｒ3）の対数の分布における標準偏差を有し、その標準偏差は１．４５と形状係数との積に等しく、この形状係数は０．０よりも大きいが約０．５よりも大きくなく、厚さ（ｔ3）は定数と面積重量平均細孔半径の平方根との積にほぼ等しく、そしてその定数は、該活性多孔質層（１４；２１）を形成するのに使用される材料、該操作温度、該活性多孔質層（１４；２１）内の酸素分圧、並びに細孔の配列によって形成された多孔率及び屈曲度の函数であることからなる、
酸素含有ガスからの酸素分離法。
【請求項２】  形状係数が約０．４よりも大きくない請求項１記載の方法。
【請求項３】  形状係数が約０．２よりも大きくない請求項１記載の方法。
【請求項４】  少なくとも１つの活性多孔質層（１４）の多孔率が約２０％〜約６０％の間であり、面積重量平均細孔半径が約０．０１〜約５ミクロンの間であり、そして厚さ（ｔ3）と細孔半径の面積重量平均との比率が約３〜約３，０００の間である請求項１記載の方法。
【請求項５】  屈曲度が約１．２〜約２．５の間であり、そして厚さ（ｔ3）と細孔半径の面積重量平均との比率が約１０〜約２，０００の間である請求項４記載の方法。
【請求項６】  屈曲度が約２．３〜約５．０の間であり、そして厚さ（ｔ3）と細孔半径の面積重量平均との比率が約６〜約５００の間である請求項４記載の方法。
【請求項７】  屈曲度が約５．０〜約１０．０の間であり、そして厚さ（ｔ3）と細孔半径の面積重量平均との比率が約４〜約３００の間である請求項４記載の方法。
【請求項８】  少なくとも１つの多孔質支持体層（１６、１８、２０）が少なくとも１つの活性多孔質層（１４）に隣接する請求項１記載の方法。
【請求項９】  少なくとも１つの多孔質支持体層（１６、１８、２０）が、稠密層（１０）から見た方向で増大する平均細孔半径を有する複数の多孔質支持体層（１６、１８、２０）を含む請求項８記載の方法。
【請求項１０】  ２つの活性多孔質層（１２、１４；２１、２３）が稠密層（１０；２２）を挟持する請求項１記載の方法。
【手続補正書】
【提出日】平成20年5月20日(2008.5.20)
【手続補正１】
【補正対象書類名】明細書
【補正対象項目名】特許請求の範囲
【補正方法】変更
【補正の内容】
【特許請求の範囲】
【請求項１】
瘢痕形成作用を有する局所用の医薬形態の医薬品を製造するための、下記一般式Ｉのビグアニド誘導体またはその医薬上許容される塩の使用：
【化１】
2003534359.tif 000001
（式中、
Ｒ１およびＲ２基は、互いに独立して、水素原子、Ｃ１−Ｃ７アルキル基、Ｃ３−Ｃ７シクロアルキル基、複素環、Ｃ２−Ｃ７アルケニル基、アリール基、アルキル基部分がＣ１−Ｃ７であるアラルキル基、アルキル基部分がＣ１−Ｃ７であるアリールオキシアルキル基、もしくはヘテロアリール基を表すか、または
Ｒ１およびＲ２は、一緒になって、１個以上のヘテロ原子を含有していてもよいＣ２−Ｃ７アルキレンを表し、かつ
Ｒ３基は、第一級もしくは第三級アミン、または式：
【化２】
2003534359.tif 000002
のアミンを表す）。
【請求項２】
皮膚への塗布を目的とする局所用の医薬形態、有利には軟膏の形態をとり、所望により、機能性包帯を構成するように、包帯上に支持され、または包帯に含浸させた前記医薬形態をとる、瘢痕形成作用を有する医薬品を製造するための、請求項１に記載の使用。
【請求項３】
糖尿病個体の創傷に対して瘢痕形成作用を有する医薬品を製造するための、請求項１または２に記載の使用。
【請求項４】
Ｒ１およびＲ２基が、互いに独立して、水素原子、Ｃ１−Ｃ７アルキル基、Ｃ３−Ｃ７シクロアルキル基、複素環、Ｃ２−Ｃ７アルケニル基、アルキル基部分がＣ１−Ｃ７であるアリールオキシアルキル基、またはヘテロアリール基を表す、請求項１〜３のいずれか一項に記載の使用。
【請求項５】
使用されるビグアニド誘導体がメトホルミン、有利には塩酸塩の形態のメトホルミンである、請求項１〜４のいずれか一項に記載の使用。
【請求項６】
ビグアニド誘導体またはその医薬上許容される塩が、少なくとも１種類の他の有効成分と組み合わされる、請求項１〜５のいずれか一項に記載の使用。
【請求項７】
下記一般式Ｉのビグアニド誘導体またはその医薬上許容される塩を含んでなる、瘢痕形成を目的とする局所用の医薬形態の医薬品：
【化３】
2003534359.tif 000003
（式中、
Ｒ１およびＲ２基は、互いに独立して、水素原子、Ｃ１−Ｃ７アルキル基、Ｃ３−Ｃ７シクロアルキル基、複素環、Ｃ２−Ｃ７アルケニル基、アリール基、アルキル基部分がＣ１−Ｃ７であるアラルキル基、アルキル基部分がＣ１−Ｃ７であるアリールオキシアルキル基、もしくはヘテロアリール基を表すか、または
Ｒ１およびＲ２は、一緒になって、１個以上のヘテロ原子を含有していてもよいＣ２−Ｃ７アルキレンを表し、かつ
Ｒ３基は、第一級もしくは第三級アミン、または式：
【化４】
2003534359.tif 000004
のアミンを表す）。
【請求項８】
皮膚への塗布を目的とする局所用の医薬形態、有利には軟膏の形態をとり、所望により、機能性包帯を構成するように、包帯上に支持され、または包帯に含浸させた前記医薬形態をとる、請求項７に記載の医薬品。
【請求項９】
糖尿病個体の創傷に対する瘢痕形成を目的とする、請求項７または８に記載の医薬品。
【請求項１０】
Ｒ１およびＲ２基が、互いに独立して、水素原子、Ｃ１−Ｃ７アルキル基、Ｃ３−Ｃ７シクロアルキル基、複素環、Ｃ２−Ｃ７アルケニル基、アルキル基部分がＣ１−Ｃ７であるアリールオキシアルキル基、またはヘテロアリール基を表す、請求項７〜９のいずれか一項に記載の医薬品。
【請求項１１】
ビグアニド誘導体がメトホルミン、有利には塩酸塩の形態のメトホルミンである、請求項７〜１０のいずれか一項に記載の医薬品。
【請求項１２】
ビグアニド誘導体またはその医薬上許容される塩が、少なくとも１種類の他の有効成分と組み合わされる、請求項７〜１１のいずれか一項に記載の医薬品。
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
粉末状の一次組成物であって、
当該組成物は少なくとも１つの親油性生物活性化合物およびホエイタンパクを含有し、
以下の工程：
−前記親油性生物活性化合物をアセトン、エタノールおよびイソプロパノールから選択される溶媒と混合する工程と、
−得られる組成物を前記ホエイタンパクの粉末と混合する工程と、
−前記溶媒を蒸発して粉末状の組成物を得る工程と、
により得ることができ、
前記親油性生物活性化合物は、生体利用性が単独の前記親油性生物活性化合物より増加している、一次組成物。
【請求項２】
液体又はゲル状の一次組成物であって、
当該組成物は少なくとも１つの親油性生物活性化合物およびホエイタンパクを含有し、
以下の工程：
−前記ホエイタンパクを水に溶解する工程と、
−前記親油性生物活性化合物をアセトン、エタノールおよびイソプロパノールから選択される溶媒に溶解する工程と、
−これら２つの溶液を混合する工程と、
−前記溶媒を蒸発して分散体状の組成物を得る工程と、
により得ることができ、
前記親油性生物活性化合物は、生体利用性が単独の前記親油性生物活性化合物より増加している、一次組成物。
【請求項３】
親油性生物活性化合物は植物、微生物、酵母または動物由来の製品から得られ、抽出され、富化されあるいは精製される、請求項１または２に記載の一次組成物。
【請求項４】
植物はトマト、大豆、緑茶、生のコーヒー豆、スパイス、ぶどうの実、カカオ、ショウガおよび穀物からなる群から選択される、請求項１または２に記載の一次組成物。
【請求項５】
微生物は新油性生物活性化合物を産生するあらゆる種類の細菌である、請求項１または２に記載の一次組成物。
【請求項６】
酵母は親油性生物活性化合物を産生するものである、請求項１または２に記載の組成物。
【請求項７】
動物由来の製品は肝臓抽出物および乳の画分からなる群から選択される、請求項１または２に記載の組成物。
【請求項８】
親油性生物活性化合物は単独のまたは混合物のカロテノイド、ポリフェノール、親油性ビタミン、フラボノイド、イソフラボン、クルクミノイド、セラミド、プロアントシアニジン、テルペノイド、ステロール、フィトステロール、ステロール−エステル、トコトリエノール、スクアレンおよびレチノイドからなる群から選択される、請求項１から７のいずれか１項に記載の組成物。
【請求項９】
親油性生物活性化合物はトマトの抽出物、大豆の抽出物またはトマトと大豆との混合抽出物である、請求項１から７のいずれか１項に記載の一次組成物。
【請求項１０】
ビタミンＣおよび／またはトコフェロールをさらに含有する、請求項１から９のいずれか１項に記載の組成物。
【請求項１１】
乳化剤、安定剤および添加剤をさらに含有する、請求項１から１０のいずれか１項に記載の組成物。
【請求項１２】
５０％までの親油性生物活性化合物と９０％までのホエイタンパクを含有する、請求項１から１１のいずれか１項に記載の組成物。
【請求項１３】
トマトのオレオレジン、大豆の抽出物およびホエイタンパクを含有する、請求項１２に記載の組成物。
【請求項１４】
請求項１から１３のいずれか１項に記載の一次組成物を、食品、食品補助物、化粧品調合物または医薬調合物中に含有する経口組成物。
【請求項１５】
食品はヨーグルト、液体飲料、チョコレート、アイスクリーム、シリアル、チョコレート粉末、コーヒー、動物性食品からなる群から選択される、請求項１４に記載の経口組成物。
【請求項１６】
食品補助物は甘味料、安定剤、香料および着色剤をさらに含有しまた糖衣錠、丸薬、カプセル、シロップ、ゲルまたはクリームの形をとる、請求項１４に記載の経口組成物。
【請求項１７】
化粧品調合物は皮膚用の活性化合物をさらに含有する、請求項１４に記載の組成物。
【請求項１８】
一次組成物の含有率は０．００１〜１００％である請求項１４から１７のいずれか１項に記載の経口組成物。
【請求項１９】
一次組成物の含有率は１０〜５０％である請求項１８に記載の経口組成物。
【請求項２０】
請求項１から１３のいずれか１項に記載の一次組成物を含有する化粧品組成物。
【請求項２１】
一次組成物の含有率は１０−１０〜１０％である、請求項２０に記載の化粧品組成物。
【請求項２２】
皮膚組織を老化から保護するために、請求項１４から２１のいずれか１項に記載の経口組成物または化粧品組成物を使用すること。
【請求項２３】
液体又はゲル状の一次組成物の製造方法であって、
当該組成物は少なくとも１つの親油性生物活性化合物およびホエイタンパクを含有し、
前記親油性生物活性化合物は単独の前記親油性生物活性化合物より増加した生体利用性を持ち、
以下の工程：
−前記ホエイタンパクを水に溶解する工程と、
−前記親油性生物活性化合物をアセトン、エタノールおよびイソプロパノールから選択される溶媒に溶解する工程と、
−これら２つの溶液を混合する工程と、
−前記溶媒を蒸発して分散体状の組成物を得る工程と、
を含む製造方法。
【請求項２４】
粉末状の一次組成物の製造方法であって、
当該組成物は少なくとも１つの親油性生物活性化合物およびホエイタンパクを含有し、
前記親油性生物活性化合物は単独の前記親油性生物活性化合物より増加した生体利用性を持ち、
以下の工程：
−前記親油性生物活性化合物をアセトン、エタノールおよびイソプロパノールから選択される溶媒と混合する工程と、
−得られる組成物を前記ホエイタンパクの粉末と混合する工程と、
−前記溶媒を蒸発して粉末状の組成物を得る工程と、
を含む製造方法。
【手続補正書】
【提出日】平成20年2月26日(2008.2.26)
【手続補正１】
【補正対象書類名】明細書
【補正対象項目名】特許請求の範囲
【補正方法】変更
【補正の内容】
【特許請求の範囲】
【請求項１】 ニューロン損傷もしくは神経変性の被験者の治療のための、オンコモジュリンおよび医薬的に受容可能な担体を含む組成物。
【請求項２】 さらにｃＡＭＰモジュレーターを含む請求項１に記載の組成物。
【請求項３】 さらに軸索形成因子を含む請求項１に記載の組成物。
【請求項４】 軸索形成因子がＡＦ−１である請求項３に記載の組成物。
【請求項５】 軸索形成因子がイノシンである請求項３に記載の組成物。
【請求項６】 ｃＡＭＰモジュレーターが非加水分解性のｃＡＭＰ類似体、アデニル酸シクラーゼ活性化物質、ｃＡＭＰを刺激するマクロファージ由来因子、マクロファージ活性化物質、カルシウムイオノホア、膜脱分極化物質、ホスホジエステラーゼ阻害剤、特異的ホスホジエステラーゼＩＶ阻害剤、ベータ２−アドレナリン受容体阻害剤、または血管作動性腸管ペプチドである、請求項２に記載の組成物。
【請求項７】分散システム、脂質ベースの製剤、ポリマーのマトリクスを含む製剤、ミニポンプに内包された製剤、被験者に投与した後少なくとも１週間、医薬的に受容可能な製剤がマクロファージ由来因子の持続的投与を提供する製剤、または被験者に投与後少なくとも１ヶ月間、医薬的に受容可能な製剤がマクロファージ由来因子の持続的投与を提供する製剤である、医薬的に受容可能な製剤である請求項１に記載の組成物。
【請求項８】 医薬的に受容可能な製剤がリポソーム製剤を含む請求項７に記載の組成物。
【請求項９】 医薬的に受容可能な製剤が多胞状リポソーム製剤を含む請求項７に記載の組成物。
【請求項１０】 被験者が哺乳類である請求項１に記載の組成物。
【請求項１１】 哺乳類がヒトである請求項１に記載の組成物。
【請求項１２】 前記被験者が神経学的障害をもつ請求項１に記載の組成物。
【請求項１３】 前記神経学的障害が脊髄損傷、発作、外傷性脳損傷、癲癇、またはアルツハイマー病である請求項１２に記載の組成物。
【請求項１４】 脊髄損傷が単麻痺、両側麻痺、対麻痺、片麻痺および四肢麻痺を特徴とする請求項１３に記載の組成物。
【請求項１５】 癲癇が外傷後の癲癇である請求項１３に記載の組成物。
【請求項１６】  神経学的障害の領域への注入、被験者の髄液への注入、被験者の硬膜下腔への注入、または被験者の脳室の領域への注入、被験者の腰椎領域へのへの注入、または被験者の大槽内への注入により、投与することができる、請求項１記載の組成物。
【請求項１７】  眼に対して局所的にまたは眼内注射により投与することができる請求項１記載の組成物。
【手続補正書】
【提出日】平成20年5月19日(2008.5.19)
【手続補正１】
【補正対象書類名】明細書
【補正対象項目名】特許請求の範囲
【補正方法】変更
【補正の内容】
【特許請求の範囲】
【請求項１】  下記一般式I：
【化１】
2003534325.tif 000001
［式中、環Aは、任意に置換されていてもよいピペリジン、テトラヒドロキノリン又はテトラヒドロイソキノリン環であり；
R1は、水素、CHN2、R、又は−CH2Yであり；
Rは、脂肪族基、アリール基、アラルキル基、複素環式基、又はヘテロシクリルアルキル基から選択された、任意に置換された基であり；
Yは、陰性脱離基であり；
R2は、CO2H, CH2CO2H又はそのエステル、アミド又は同配体（isostere）であり；
Arは、任意に置換されていてもよいアリール基であり；そして
R3は、水素、任意に置換されていてもよいC1-6アルキル、F2, CN, アリールであり、又はR3は、不飽和又は部分的飽和の５又は６員の０〜２個のへテロ原子を有する融合された環を形成するためにArに結合される］で表される化合物。
【請求項２】  １又は複数の次の特徴：
（ａ）R1がCH2Fであり；
（ｂ）R2がCO2H又はそのエステル、アミド又は同配体（isostere）であり；
（ｃ）R3が水素又は任意に置換されていてもよいC1-6アルキルであり；そして
（ｄ）Arが任意に置換されていてもよいアリールである：を有する請求項１記載の化合物。
【請求項３】  次の特徴：（ａ）R1がCH2Fであり；（ｂ）R2がCO2H、又はそのエステル、アミド又は同配体であり；（ｃ）R3が水素又は任意に置換されたC1-6アルキルであり；そして（ｄ）Arが任意に置換されたリールである：を有する請求項２記載の化合物。
【請求項４】  環Aが、ピペリジン環である請求項３記載の化合物。
【請求項５】  環Aが、テトラヒドロキノリン環である請求項３記載の化合物。
【請求項６】  環Aが、テトラヒドロイソキノリン環である請求項３記載の化合物。
【請求項７】  前記化合物が、表１に列挙される化合物から選択される請求項１記載の化合物。
【請求項８】  請求項１〜７のいずれか１項記載の化合物及び医薬的に許容できるキャリヤーを含んで成る医薬組成物。
【請求項９】  カスパーゼインヒビターによる処理により緩和される哺乳類における病状又は疾病状態を処理するための、請求項８に記載の医薬組成物。
【請求項１０】  IL−１介在性疾病、アポプトシス介在性疾病、炎症疾患、自己免疫疾患、破壊性骨疾患、増殖性疾患、感染性疾患、変性疾患、細胞死に関連する疾病、過剰アルコール摂取疾患、ウィルス介在性疾患、ブドウ膜炎、炎症性腹膜炎、変形性関節炎、膵炎、ぜん息、成人呼吸窮迫症候群、糸球体腎炎、リウマチ様関節炎、全身性エリテマトーデス、硬皮症、慢性甲状腺炎、Grave病、自己免疫胃炎、糖尿病、自己免疫溶血清貧血、自己免疫好中球減少症、血小板減少症、慢性活性肝炎、重症筋無力症、炎症性腫疾患、クローン病、乾癬、アトピー性皮膚炎、瘢痕、移植片対宿主疾患、器官移植片拒絶、オステオポローシス、白血病及び関連疾患、骨髄形成異常症候群、多発性骨髄腫関連骨疾患、急性骨髄性白血病、慢性骨髄性白血病、転移性メラノーマ、カポシ肉腫、多発性骨髄腫、出血性ショック、敗血症、敗血性ショック、熱傷、細菌性赤痢、アルツハイマー病、パーキンソン病、ハンチントン病、ケネディ病、プリオン病、大脳虚血症，癲癇、心筋虚血症、急性及び慢性心臓疾患、心筋梗塞、うっ血性心不全、アテローム硬化症、冠動脈バイパス移植片、骨髄筋萎縮症、筋萎縮性外側硬化症、多発性硬化症、HIV−関連脳炎、老化、脱毛症、発作による神経損傷、潰瘍性大腸炎、外傷性脳損傷、脊髄損傷、B型肝炎、C型肝炎、G型肝炎、黄熱病、デング熱、又は日本脳炎、種々の形の肝臓疾病、例えばアルコール性肝炎、腎疾患、ポリアプチック腎疾患、H.ピロリ−関連胃及び十二指腸潰瘍疾患、HIV感染、結核及び髄膜炎から選択される疾患の処理のための請求項８又は９に記載の医薬組成物。
【請求項１１】  冠動脈バイパス移植に関連する合併症を処理するための、請求項８に記載の医薬組成物。
【請求項１２】  細胞の保存のための、請求項８に記載の医薬組成物。
【請求項１３】  器官移植又は血液生成物の保存のための、請求項８に記載の医薬組成物。
【請求項１４】  癌の処理のための免疫治療の成分として使用される請求項８記載の医薬組成物。
【手続補正書】
【提出日】平成20年3月17日(2008.3.17)
【手続補正１】
【補正対象書類名】明細書
【補正対象項目名】特許請求の範囲
【補正方法】変更
【補正の内容】
【特許請求の範囲】
【請求項１】  患者における眼、鼻、皮膚、耳、胃腸管または肺のアレルギー性疾患を予防または処置するための組成物および全身性肥満細胞症の発現を予防または処置するための組成物であって、該組成物は、以下の式のジスルフィド誘導体：
【化１】
2003534317.tif 000001
を含み、
ここで、Ｘは、−ＮＨ−Ｃ（＝Ｏ）−Ｒまたは−ＮＨ−Ｃ（＝Ｏ）−ＯＲであり；
Ｒは、Ｈ；（非）置換フェニル；（非）置換ベンジル；または必要に応じて、ＯＨ、ＯＲ２、ＮＲ３Ｒ４で置換または末端化された、Ｃ１〜Ｃ８アルキルまたはアルケニル；Ｃ４〜Ｃ７シクロアルキル；（非）置換アリールまたは（非）置換５〜７員環ヘテロ環式環であり；ここで任意の置換基は、Ｃ１〜Ｃ６アルキルまたはアルコキシ；ハロゲン；ＯＨ；ＣＮ；ＣＦ３；ＮＯ２；およびＣＯ２Ｒ２からなる群から選択され；
Ｒ２は、Ｃ１〜Ｃ３アルキルであり；そして
Ｒ３およびＲ４は、独立して、Ｈ；ベンジル；Ｃ１〜Ｃ８アルキルまたはアルキニル；Ｃ４〜Ｃ７シクロアルキル；（非）置換アリール；または（非）置換５〜７員環ヘテロ環式環であり；ここで任意の置換基は、Ｃ１〜Ｃ６アルキルまたはアルコキシ；ハロゲン；ＯＨ；ＣＮ；ＣＦ３；ＮＯ２；およびＣＯ２Ｒ２からなる群から選択される、
組成物。
【請求項２】  請求項１に記載の組成物であって、前記Ｘ置換基は、オルト位にあり、そして、ここで、
Ｘ＝−ＮＨ−Ｃ（＝Ｏ）−Ｒであり；そして
Ｒ＝必要に応じて、ＯＨ、ＯＲ２、ＮＲ３Ｒ４で置換または末端化された、Ｃ１〜Ｃ８アルキルまたはアルキニル；Ｃ４〜Ｃ７シクロアルキル；（非）置換アリール；または（非）置換５〜７員ヘテロ環式環であり；ここで任意の置換基は、Ｃ１〜Ｃ６アルキルまたはアルコキシ；ハロゲン；ＯＨ；ＣＮ；ＣＦ３；ＮＯ２；およびＣＯ２Ｒ２からなる群から選択される、組成物。
【請求項３】  請求項２に記載の組成物であって、ここで、Ｒ＝必要に応じて、ＯＨ、ＯＲ２、ＮＲ３Ｒ４で置換または末端化された、Ｃ１〜Ｃ８アルキルまたはアルキニル；Ｃ４〜Ｃ７シクロアルキル；（非）置換アリール；または（非）置換５〜７員ヘテロ環式環であり；ここで任意の置換基は、Ｃ１〜Ｃ６アルキルまたはアルコキシ；ハロゲン；ＯＨ；ＣＮ；ＣＦ３；ＮＯ２；およびＣＯ２Ｒ２からなる群から選択される、組成物。
【請求項４】  請求項３に記載の組成物であって、ここでＸは、以下からなる群：−ＮＨ−Ｃ（＝Ｏ）−ＣＨ２ＣＨ＝ＣＨ２；−ＮＨ−Ｃ（＝Ｏ）−ＣＨ３；−ＮＨ−Ｃ（＝Ｏ）−Ｃ（＝ＣＨ２）−ＣＨ３；−ＮＨ−Ｃ（＝Ｏ）−ＣＨ２−ＣＨ（−ＯＨ）−ＣＨ３；−ＮＨ−Ｃ（＝Ｏ）−Ｏ−ＣＨ２−ＣＨ３；および−ＮＨ−Ｃ（＝Ｏ）−Ｃ（ＣＨ３）３、から選択される、組成物。
【請求項５】  前記ジスルフィド誘導体は、約０．００００１〜５重量％の量の該ジスルフィド誘導体を含む局所的に投与可能な組成物で前記患者に投与される、請求項１に記載の組成物。
【請求項６】  前記ジスルフィド誘導体は、約０．００００１〜０．２重量％の量で存在する、請求項５に記載の組成物。
【請求項７】  前記ジスルフィド誘導体は、約０．００００１〜０．０１重量％の量で存在する、請求項６に記載の組成物。
【請求項８】  前記ジスルフィド誘導体は、約１０〜１０００ｍｇの量の該ジスルフィド誘導体を含む全身的に投与可能な組成物で前記患者に投与される、請求項１に記載の組成物。
【請求項９】  眼、鼻、皮膚、耳または肺のアレルギー性疾患を処置するための局所的または局部的投与可能な薬学的組成物であって、該薬学的組成物は、該組成物が、１５０〜４５０ｍＯｓｍの重量オスモル濃度を有するのに十分な量の張度調節剤、薬学的に受容可能な保存剤および以下の式のジスルフィド誘導体：
【化２】
2003534317.tif 000002
を含み、
ここで、Ｘは、−ＮＨ−Ｃ（＝Ｏ）−ＯＲであり；
Ｒは、Ｈ；（非）置換フェニル；（非）置換ベンジル；または必要に応じて、ＯＨ、ＯＲ２、ＮＲ３Ｒ４で置換または末端化された、Ｃ１〜Ｃ８アルキルまたはアルケニル；Ｃ４〜Ｃ７シクロアルキル；（非）置換アリールまたは（非）置換５〜７員環ヘテロ環式環であり；ここで任意の置換基は、Ｃ１〜Ｃ６アルキルまたはアルコキシ；ハロゲン；ＯＨ；ＣＮ；ＣＦ３；ＮＯ２；およびＣＯ２Ｒ２からなる群から選択され；
Ｒ２は、Ｃ１〜Ｃ３アルキルであり；そして
Ｒ３およびＲ４は、独立して、Ｈ；ベンジル；Ｃ１〜Ｃ８アルキルまたはアルキニル；Ｃ４〜Ｃ７シクロアルキル；（非）置換アリール；または（非）置換５〜７員環ヘテロ環式環であり；ここで任意の置換基は、Ｃ１〜Ｃ６アルキルまたはアルコキシ；ハロゲン；ＯＨ；ＣＮ；ＣＦ３；ＮＯ２；およびＣＯ２Ｒ２からなる群から選択される、
組成物。
【請求項１０】  前記ジスルフィド誘導体は、約０．００００１〜５重量％の量で存在する、請求項９に記載の薬学的組成物。
【請求項１１】  前記ジスルフィド誘導体は、約０．００００１〜０．２重量％の量で存在する、請求項１０に記載の薬学的組成物。
【請求項１２】  前記ジスルフィド誘導体は、約０．００００１〜０．０１重量％の量で存在する、請求項１１に記載の薬学的組成物。
【手続補正書】
【提出日】平成20年3月17日(2008.3.17)
【手続補正１】
【補正対象書類名】明細書
【補正対象項目名】特許請求の範囲
【補正方法】変更
【補正の内容】
【特許請求の範囲】
【請求項１】  目、鼻、皮膚、耳または肺のアレルギー性疾患を処置するための、局所的または局在的に投与可能な薬学的組成物であって、該組成物は、該組成物が１５０〜４５０ｍＯｓｍの浸透圧重量モル濃度を有するのに十分な量の張度調節剤、薬学的に受容可能な保存剤、および以下の式：
【化１】
2003534318.tif 000001
のジスルフィド誘導体を含み、ここで、
Ｘは−ＮＨＣ（＝Ｏ）ＮＨ−Ｒであり；
Ｒは、Ｈ；（非）置換フェニル；（非）置換ベンジル；またはＯＨ、ＯＲ２、ＮＲ３Ｒ４で必要に応じて置換されたかもしくはこれらで終端したＣ１〜Ｃ８アルキルもしくはアルケニル；Ｃ４〜Ｃ７シクロアルキル、（非）置換アリール、または５〜７員の（非）置換複素環式環であり；ここで、任意の置換基は、Ｃ１〜Ｃ６アルキルもしくはアルコキシ；ハロゲン；ＯＨ；ＣＮ；ＣＦ３；ＮＯ２；およびＣＯ２Ｒ２からなる群より選択され；
Ｒ２は、Ｃ１〜Ｃ３アルキルであり；そして
Ｒ３およびＲ４は、独立して、Ｈ；ベンジル；Ｃ１〜Ｃ８アルキルもしくはアルケニル；Ｃ４〜Ｃ７シクロアルキル；（非）置換アリール；または５〜７員の（非）置換複素環式環であり；ここで、任意の置換基は、Ｃ１〜Ｃ６アルキルもしくはアルコキシ；ハロゲン；ＯＨ；ＣＮ；ＣＦ３；ＮＯ２；およびＣＯ２Ｒ２からなる群より選択される、
組成物。
【請求項２】  請求項１に記載の薬学的組成物であって、ここで、前記Ｘ置換基が、オルト位にあり、そしてここで、
Ｒが、ＯＨ、ＯＲ２、ＮＲ３Ｒ４で必要に応じて置換されたかもしくはこれらで終端したＣ１〜Ｃ８アルキルもしくはアルケニル；Ｃ４〜Ｃ７シクロアルキル、（非）置換アリール、または５〜７員の（非）置換複素環式環であり；ここで、任意の置換基は、Ｃ１〜Ｃ６アルキルもしくはアルコキシ；ハロゲン；ＯＨ；ＣＮ；ＣＦ３；ＮＯ２；およびＣＯ２Ｒ２からなる群より選択される、
組成物。
【請求項３】  請求項２に記載の薬学的組成物であって、ここで、
Ｒが、ＯＨ、ＯＲ２、ＮＲ３Ｒ４で必要に応じて置換されたかもしくはこれらで終端したＣ１〜Ｃ５アルキルもしくはアルケニル；Ｃ４〜Ｃ７シクロアルキル、（非）置換アリール、または５〜７員の（非）置換複素環式環であり；ここで、任意の置換基は、Ｃ１〜Ｃ６アルキルもしくはアルコキシ；ハロゲン；ＯＨ；ＣＮ；ＣＦ３；ＮＯ２；およびＣＯ２Ｒ２からなる群より選択される、
組成物。
【請求項４】  Ｘが、−ＮＨＣ（＝Ｏ）ＮＨ−ＣＨ２−ＣＨ＝ＣＨ２である、請求項３に記載の薬学的組成物。
【請求項５】  前記ジスルフィド誘導体が、約０．００００１〜５重量％の量で存在する、請求項１に記載の薬学的組成物。
【請求項６】  前記ジスルフィド誘導体が、約０．０００１〜０．２重量％の量で存在する、請求項５に記載の薬学的組成物。
【請求項７】  前記ジスルフィド誘導体が、約０．０００１〜０．０１重量％の量で存在する、請求項６に記載の薬学的組成物。
【請求項８】  患者における、目、鼻、皮膚、耳、胃腸管または肺のアレルギー性疾患を予防または処置するための組成物、および全身性肥満細胞症の発現を予防または処置するための組成物であって、該組成物は、以下の式：
【化２】
2003534318.tif 000002
のジスルフィド誘導体を含み、ここで、
Ｘは−ＮＨＣ（＝Ｏ）ＮＨ−Ｒであり；
Ｒは、Ｈ；（非）置換フェニル；（非）置換ベンジル；またはＯＨ、ＯＲ２、ＮＲ３Ｒ４で必要に応じて置換されたかもしくはこれらで終端したＣ１〜Ｃ８アルキルもしくはアルケニル；Ｃ４〜Ｃ７シクロアルキル、（非）置換アリール、または５〜７員の（非）置換複素環式環であり；ここで、任意の置換基は、Ｃ１〜Ｃ６アルキルもしくはアルコキシ；ハロゲン；ＯＨ；ＣＮ；ＣＦ３；ＮＯ２；およびＣＯ２Ｒ２からなる群より選択され；
Ｒ２は、Ｃ１〜Ｃ３アルキルであり；そして
Ｒ３およびＲ４は、独立して、Ｈ；ベンジル；Ｃ１〜Ｃ８アルキルもしくはアルケニル；Ｃ４〜Ｃ７シクロアルキル；（非）置換アリール；または５〜７員の（非）置換複素環式環であり；ここで、任意の置換基は、Ｃ１〜Ｃ６アルキルもしくはアルコキシ；ハロゲン；ＯＨ；ＣＮ；ＣＦ３；ＮＯ２；およびＣＯ２Ｒ２からなる群より選択される、
組成物。
【請求項９】  請求項８に記載の組成物であって、ここで、前記Ｘ置換基が、オルト位にあり、そしてここで、
Ｒが、ＯＨ、ＯＲ２、ＮＲ３Ｒ４で必要に応じて置換されたかもしくはこれらで終端したＣ１〜Ｃ８アルキルもしくはアルケニル；Ｃ４〜Ｃ７シクロアルキル、（非）置換アリール、または５〜７員の（非）置換複素環式環であり；ここで、任意の置換基は、Ｃ１〜Ｃ６アルキルもしくはアルコキシ；ハロゲン；ＯＨ；ＣＮ；ＣＦ３；ＮＯ２；およびＣＯ２Ｒ２からなる群より選択される、
組成物。
【請求項１０】  請求項９に記載の組成物であって、ここで、
Ｒが、ＯＨ、ＯＲ２、ＮＲ３Ｒ４で必要に応じて置換されたかもしくはこれらで終端したＣ１〜Ｃ５アルキルもしくはアルケニル；Ｃ４〜Ｃ７シクロアルキル、（非）置換アリール、または５〜７員の（非）置換複素環式環であり；ここで、任意の置換基は、Ｃ１〜Ｃ６アルキルもしくはアルコキシ；ハロゲン；ＯＨ；ＣＮ；ＣＦ３；ＮＯ２；およびＣＯ２Ｒ２からなる群より選択される、
組成物。
【請求項１１】  Ｘが、−ＮＨＣ（＝Ｏ）ＮＨ−ＣＨ２−ＣＨ＝ＣＨ２である、請求項１０に記載の組成物。
【請求項１２】  前記ジスルフィド誘導体が、約０．００００１〜５重量％の量で該ジスルフィド誘導体を含む局所的に投与可能な組成物で前記患者に投与される、請求項８に記載の組成物。
【請求項１３】  前記ジスルフィド誘導体が、約０．０００１〜０．２重量％の量で存在する、請求項１２に記載の組成物。
【請求項１４】  前記ジスルフィド誘導体が、約０．０００１〜０．０１重量％の量で存在する、請求項１３に記載の組成物。
【請求項１５】  前記ジスルフィド誘導体が、約１０〜１０００ｍｇの量で該ジスルフィド誘導体を含む全身的に投与可能な組成物で前記患者に投与される、請求項８に記載の組成物。
【手続補正書】
【提出日】平成20年5月26日(2008.5.26)
【手続補正１】
【補正対象書類名】明細書
【補正対象項目名】特許請求の範囲
【補正方法】変更
【補正の内容】
【特許請求の範囲】
【請求項１】  薬物レザバならびに
有効量のラゾフォキシフェンおよびその薬学的に受容可能な塩
を含む、経皮処方物。
【請求項２】  有効量の薬物浸透エンハンサーをさらに含む、請求項１に記載の経皮処方物。
【請求項３】  接着性薬物マトリックスレザバならびに
有効量のラゾフォキシフェンおよびその薬学的に受容可能な塩
を含む、経皮処方物。
【請求項４】  前記接着性マトリックスが、溶媒に基づく感圧接着性マトリックスである、請求項３に記載の経皮処方物。
【請求項５】  前記接着性マトリックスが、水に基づく感圧接着性マトリックスである、請求項３に記載の経皮処方物。
【請求項６】  液体レザバ薬物レザバならびに
有効量のラゾフォキシフェンおよびその薬学的に受容可能な塩
を含む、経皮処方物。
【請求項７】  遊離型ヒドロアルコールゲルならびに
有効量のラゾフォキシフェンおよびその薬学的に受容可能な塩
を含む、経皮処方物。
【請求項８】  有効量の薬物浸透エンハンサーをさらに含む、請求項３〜７のいずれかに記載の経皮処方物。
【請求項９】  前記薬物浸透エンハンサーが、有効量の細胞外被かく乱化合物である、請求項８に記載の経皮処方物。
【請求項１０】  前記細胞外被かく乱化合物が、有効量の低級アルカノールを含む、請求項９に記載の経皮処方物。
【請求項１１】  前記薬物浸透エンハンサーが、有効量の低級アルカノールおよび有効量のモノオレイン酸グリセロールを含む、請求項８に記載の経皮処方物。
【請求項１２】  モノオレイン酸グリセロールの前記有効量が、ほぼ０．０１％ｗ／ｗ以上である、請求項１１に記載の経皮処方物。
【請求項１３】  薬物レザバを適用場所に接着するための手段および
請求項３〜７のいずれかに記載の薬学的処方物
を含む、経皮デバイス。
【請求項１４】  活性薬剤を個体の皮膚または粘膜に投与するためのデバイスであって、該デバイスは以下の積層複合体：
ａ．レザバの上部を規定し、かつピールシールディスクの周囲まで拡がっている、裏当て層；
ｂ．該ピールシールディスクおよび該裏当て層の周囲まで拡がっており、かつ該裏当て層の下にある、活性薬剤浸透膜であって、該裏当て層および該膜は以下を規定している、活性薬剤浸透膜；
ｃ．請求項１に記載の処方物を含む、該裏当て層と該活性薬剤浸透膜との間にあるレザバ；
ｄ．該活性薬剤浸透膜の下にあるピールシールディスク；
ｅ．該ピールシールディスク、該活性薬剤浸透膜および該裏当て層の周囲の周りの熱シール；
ｆ．該裏当て層の上にある中心部分および該ピールシールディスクの周囲を超えて拡がる周辺部分を有する、接着性オーバーレイ；ならびに
ｇ．該接着性オーバーレイの周辺部分および該ピールシールディスクの下にある、取り外し可能な剥離ライナー、
を含む、デバイス。
【請求項１５】  被験体においてエストロゲンの欠乏または調節不能に関連する障害を処置または予防することにおいて使用するための経皮処方物であって、
薬物レザバと、
有効量のラゾフォキシフェンおよびその薬学的に受容可能な塩と、
を含み、
該被験体の適用場所に、該処方物が接触させられることを特徴とする、処方物。
【請求項１６】  被験体においてエストロゲンの欠乏または調節不能に関連する障害を処置または予防することにおいて使用するための経皮処方物であって、
薬物レザバと、
有効量のラゾフォキシフェンおよびその薬学的に受容可能な塩と、
有効量の薬物浸透エンハンサーと、
を含み、
該被験体の適用場所に、該処方物が接触させられることを特徴とする、処方物。
【請求項１７】  被験体においてエストロゲンの欠乏または調節不能に関連する障害を処置または予防することにおいて使用するための、請求項３〜７のいずれかに記載の経皮処方物であって、
該被験体の適用部位に、該処方物が接触させられることを特徴とする、処方物。
【請求項１８】  被験体においてエストロゲンの欠乏または調節不能に関連する障害を処置または予防するための、請求項１４に記載のデバイスであって、
該被験体の適用場所に、該デバイスが接触させられることを特徴とする、デバイス。
【請求項１９】  被験体においてエストロゲン欠乏に関連する障害を処置または予防するための、請求項１４に記載のデバイスであって、
該被験体の皮膚部位に、該デバイスが接触させられることを特徴とする、デバイス。
【請求項２０】  エストロゲン欠乏に関連する障害の処置または予防のための経皮医薬の調製のための、有効量のラゾフォキシフェンの使用。
【請求項２１】  エストロゲン欠乏に関連する障害の処置または予防のための経皮医薬であって、
有効量のラゾフォキシフェン
を含む、医薬。
【手続補正書】
【提出日】平成20年3月28日(2008.3.28)
【手続補正１】
【補正対象書類名】明細書
【補正対象項目名】特許請求の範囲
【補正方法】変更
【補正の内容】
【特許請求の範囲】
【請求項１】  水蒸気浸透性および空気浸透性の弾性裏打ち層、１つまたはそれ以上の活性物質、所望なら１つまたはそれ以上の補助物質、および所望なら１つまたはそれ以上の浸透強化剤を含む基材層、そして再剥離可能な保護層からなり、この基材層が２つの相を成しておりまた、水蒸気および空気に対し、実質的に非浸透性である外側相を含み、この相中に、活性物質を含む内側相が分散的に埋め込まれていることを特徴とする吸蔵性経皮治療系。
【請求項２】  弾性裏打ち層が長手方向および横方向の弾性がある織物からなり、そしてその織物がポリエチレンテレフタレートからなることを特徴とする請求項１に記載の吸蔵性経皮治療系。
【請求項３】  基材層の水蒸気非浸透性および空気非浸透性の外側相がポリイソブチレン、ポリイソプレン、ポリブテンまたは、イソプレンもしくはブタジエンを有するスチレンブロックポリマーの群からの１つまたはそれ以上の炭化水素ポリマーからなり、ここで外側相が好ましくは分子量が異なる少なくとも２つ、より好ましくは３つのポリイソブチレンからなることを特徴とする請求項１または２に記載の吸蔵性経皮治療系。
【請求項４】  基材の内側相がアクリレートコポリマー、メタクリレートコポリマーまたはエチル−ビニルアセテートコポリマーの群からの１つまたはそれ以上のポリマーからなり、ここでアクリレートコポリマーまたはメタクリレートコポリマーの場合、当該のポリマーが、ナトリウム塩またはカリウム塩として５０〜１００％中和されている形態であるのが好ましいカルボキシル含有ポリマーであり、そして内側相が活性物質を溶解した形態で含有することを特徴とする請求項１〜３のいずれかの項に記載の吸蔵性経皮治療系。
【請求項５】  基材の内側相の割合が、活性物質を含む基材の５〜４０重量％、好ましくは１０〜２５重量％であることを特徴とする請求項１〜４のいずれかの項に記載の吸蔵性経皮治療系。
【請求項６】  活性物質を含む基材が、６０〜２００ｇ／ｍ2、好ましくは８０〜１２０ｇ／ｍ2の層厚さに達することを特徴とする請求項１〜５のいずれかの項に記載の吸蔵性経皮治療系。
【請求項７】  内側相が基材の外側相中で分散体を形成し、液滴の直径が１０ｎｍ〜１０μｍ、好ましくは１００ｎｍ〜１μｍであることを特徴とする請求項１〜６のいずれかの項に記載の吸蔵性経皮治療系。
【手続補正書】
【提出日】平成20年5月20日(2008.5.20)
【手続補正１】
【補正対象書類名】明細書
【補正対象項目名】特許請求の範囲
【補正方法】変更
【補正の内容】
【特許請求の範囲】
【請求項１】
i）少なくとも１種のヘパリン、グリコサミノグリカン、またはヘパリン類似物質から形成される活性成分および必要により少なくとも1種の他の活性成分を、５〜４０重量％；
ii）少なくとも1種の脂質から形成される脂質成分であって、HLBが12以下の脂質成分；
iii）ポリビニルピロリドン、ビニルピロリドン／酢酸ビニルコポリマー、ヒドロキシアルキルセルロース、ヒドロキシアルキルアルキルセルロース、フタル酸セルロース、アクリル（メタクリル）樹脂から選択される１種以上のポリマーから形成される固体ポリマー成分を１０〜８０重量％；
および
iv）必要により、他の製薬上許容される添加剤、
を含んでなる固体もしくは半固体製剤であり、該製剤が水を１重量％未満含有する、製剤。
【請求項２】
ヘパリンが低分子量ヘパリンである、請求項１記載の製剤。
【請求項３】
活性成分の結晶の含有量が５重量％未満である、請求項１または２記載の製剤。
【請求項４】
活性成分の結晶が本質的に含有されない、請求項３記載の製剤。
【請求項５】
脂質成分中の少なくとも１種の脂質が脂肪酸、トリグリセリド、ジグリセリド、およびモノグリセリドから選択される、請求項１〜４のいずれかに記載の製剤。
【請求項６】
脂肪酸が不飽和である、請求項５記載の製剤。
【請求項７】
脂質成分のHLBが8以下である、請求項１〜６のいずれかに記載の製剤。
【請求項８】
脂質成分の融点が30℃より低い、請求項１〜７のいずれかに記載の製剤。
【請求項９】
脂質成分の少なくとも一部が分子分散の形態である、請求項１〜８のいずれかに記載の製剤。
【請求項１０】
脂質成分が3〜50重量％含まれる、請求項１〜9のいずれかに記載の製剤。
【請求項１１】
ポリマー成分に基づく脂質成分の含有量が40重量％以下である、請求項１〜１０のいずれかに記載の製剤。
【請求項１２】
ポリマー成分中、脂質成分の少なくとも一部が分子分散の形態である、請求項１〜１１のいずれかに記載の製剤。
【請求項１３】
HLBが15より大きい界面活性を有する添加剤を1重量％未満含む、請求項１〜１２のいずれかに記載の製剤。
【請求項１４】
固体である、請求項１〜１３のいずれかに記載の製剤。
【請求項１５】
i)重量平均分子量が約500から約10,000である低分子量ヘパリンを５〜４０重量％；
ii）オレイン酸、リノール酸、および／もしくはリノレン酸、または相当するモノもしくはジグリセリドから選択される少なくとも１種の不飽和脂肪酸；
iii）ポリビニルピロリドン、ビニルピロリドン／酢酸ビニルコポリマー、ヒドロキシプロピルセルロース、およびヒドロキシプロピルメチルセルロースから選択される少なくとも１種のポリマーから形成されるポリマー成分を１０〜８０重量％；
および
iv）必要により他の添加剤、
を含み、水を１重量％未満含有する、固体製剤。
【請求項１６】
増量剤、潤滑剤、平滑化剤、離型剤、流動調整剤、染料、安定化剤、可塑剤、保存剤、崩壊剤、吸収剤、および界面活性剤から選ばれる添加剤を更に含む、請求項１〜１５のいずかに記載の製剤。
【請求項１７】
成分i)、ii)、iii)、および必要に応じてiv)を含む混合物の溶融物押出により得られる、請求項１〜１６のいずれかに記載の製剤。
【請求項１８】
少なくとも１種のヘパリン、グリコサミノグリカン、またはヘパリン類似物質の経口投与のための薬剤形態として使用するための、請求項１〜１７のいずれかに記載の製剤。
【手続補正書】
【提出日】平成20年3月17日(2008.3.17)
【手続補正１】
【補正対象書類名】明細書
【補正対象項目名】特許請求の範囲
【補正方法】変更
【補正の内容】
【特許請求の範囲】
【請求項１】  塩化した（ＲＳ）−（＋）−ＳＡＭｅジアステレオ異性体が、塩化した（ＳＳ）−（＋）−ＳＡＭｅジアステレオ異性体に対して３％以下の量で存在する（ＳＳ，ＲＳ）−ＳＡＭｅの薬剤として許容される塩の調製方法であって、０〜１２℃の温度において、
−富化酵母由来の（ＳＳ，ＲＳ）−Ｓ−アデノシル−Ｌ−メチオニンを精製し、少なくとも６ｇ／ｌを含有させること、ここで上記精製は、
（ａ）−ｐＨ値の１．２〜３．５への調整、
（ｂ）−富化酵母由来の（ＳＳ，ＲＳ）−ＳＡＭｅの水性溶解物の調製、
（ｃ）−得られた溶解物の精密濾過、
（ｄ）−０．１〜２Ｎ無機酸溶液で溶出することによる弱酸樹脂上への得られた精密濾液の吸着、
（ｅ）−得られる溶出液の脱色を含む、
−逆浸透により脱色溶出液を３０から７０体積％まで濃縮すること、
−化学量論的量の少なくとも１種類の薬剤として許容される酸を濃縮溶出液に添加し、対応する（ＳＳ，ＲＳ）−ＳＡＭｅの薬剤として許容される塩を得ること、を含む方法。
【請求項２】  （ＳＳ，ＲＳ）−ＳＡＭｅの薬剤として許容される塩を凍結乾燥に供する請求項１に記載の方法。
【請求項３】  ステップ（ａ）におけるｐＨ値が１〜２である請求項１または２に記載の方法。
【請求項４】  ステップ（ｂ）における溶解物の調製を、酵母を細胞破壊装置に通過させることによって行う前記請求項のいずれかに記載の方法。
【請求項５】  温度が２〜５℃である請求項１から４のいずれかに記載の方法。
【請求項６】  富化酵母が少なくとも８〜１０ｇ／ｌの（ＳＳ，ＲＳ）−Ｓ−アデノシル−Ｌ−メチオニンを含有する請求項１から５のいずれかに記載の方法。
【請求項７】  薬剤として許容される酸が硫酸およびパラトルエンスルホン酸から選択される請求項１から６のいずれかに記載の方法。